(57)【要約】      （修正有）【課題】設定された重さ以下の荷物を収容した状態で、装着者をほぼ垂直な姿勢に維持して頭部を水面上に浮上させる水に浮くリュックサックを提供する。【解決手段】リュックサック１の収納部２を構成する底面部２１、背面部２２、後面部２３及び周面部２４の左右各下端部に発泡プラスチック板からなる浮力材５をそれぞれ配設する一方、一対の肩ベルト３に発泡プラスチック板からなる浮力材５を配設する。さらに、収納部２の背面部２２に腰ベルト４を着脱自在に設け、腰ベルト４に発泡プラスチック板からなる浮力材５を配設する。そして、腰ベルト４をウエストに巻き回し、その左右先端を連結する。これにより、収納部２の浮力による背面側を水平とする曲げモーメントを、肩ベルト３及び腰ベルト４の浮力による前面側を水平とする曲げモーメントによって低減する。【選択図】図２
0003170277.tif 000002
【実用新案登録請求の範囲】
【請求項１】
底面部、背面部、後面部及び背面部と後面部との間の左右の側面と天面とを包囲する周面部とからなり、周面部にスライドファスナーを設けるとともに、背面部に一対の肩ベルトを設けたリュックサックにおいて、底面部、背面部、後面部、周面部の左右各下端部及び肩ベルトに発泡プラスチックプレートからなる浮力材をそれぞれ配設する一方、発泡プラスチックプレートからなる浮力材を配設した腰ベルトを背面部に着脱自在に設け、ウエストに巻き回した腰ベルトの左右先端を連結可能としたことを特徴とするリュックサック。
【考案の詳細な説明】
【技術分野】
【０００１】
この考案は、リュックサック、特に水に浮くリュックサックに関するものである。
【背景技術】
【０００２】
一般に、リュックサックは、収納部に肩バンドを設けて構成され、背中に背負って使用される。このようなリュックサックに、地震や洪水等に備えて、予め飲料水や食料品、その他緊急時に必要な携行品等を詰め込んで常備しておくことが提案されている。そして、災害対策基本法に基づく地方自治体の長による避難勧告や指示にしたがって、あるいは、各自の判断で指定された避難所に避難するに際して、予め必要な荷物を収納したリュックサックを持ち出すようにしている。
【０００３】
避難所に避難する際において、リュックサックを背負った状態で万が一洪水や津波に遭遇すると、荷物を収納したリュックサックの重さが装着者の浮力を減殺し、より危険な状態に陥らせるおそれがある。このため、リュックサックの収納部を構成する背面部や底面部等に発泡プラスチックプレート等の浮力材を配設し、水に浮くリュックサックが提案されている（例えば、特許文献１参照）。
【先行技術文献】
【特許文献】
【０００４】
【特許文献１】実開昭５３−１１９２０８号公報
【考案の概要】
【考案が解決しようとする課題】
【０００５】
ところで、前述したリュックサックにおいては、背中に背負った状態で背面側に発生する浮力が、背面を水平に浮き上げる曲げモーメントとして作用し、顔を水面に押し付けようとする。このため、息継ぎをするに際して、浮力に抗して顔を持ち上げる必要があり、かえって体力を消耗するという欠点があった。
【０００６】
この傾向は、リュックサックに配設した浮力材の浮力が大きいほど、すなわち、浮力材による浮力は一定であることから、荷物を収納したリュックサックの重さが小さいほど顕著になる。
【０００７】
本考案は、このような問題点に鑑みてなされたもので、設定された重さ以下の荷物を収容した状態で、装着者をほぼ垂直な姿勢に維持して常に頭部を水面上に浮上させることができるリュックサックを提供するものである。
【課題を解決するための手段】
【０００８】
本考案は、底面部、背面部、後面部及び背面部と後面部との間の左右の側面と天面とを包囲する周面部とからなり、周面部にスライドファスナーを設けるとともに、背面部に一対の肩ベルトを設けたリュックサックにおいて、底面部、背面部、後面部、周面部の左右各下端部及び肩ベルトに発泡プラスチックプレートからなる浮力材をそれぞれ配設する一方、発泡プラスチックプレートからなる浮力材を配設した腰ベルトを背面部に着脱自在に設け、ウエストに巻き回した腰ベルトの左右先端を連結可能としたことを特徴とするものである。
【０００９】
本考案によれば、装着者の背面側において、底面部、背面部、後面部及び周面部の左右各下端部にそれぞれ配設された浮力材による浮力から収納された荷物の重さを差し引いた浮力が作用するとともに、その前面側において、肩ベルトに配設された浮力材及び腰ベルトに配設されて前面側に位置している浮力材による浮力が作用することから、装着者の浮力と合わせて、装着者の一部を水面上に浮上させた状態に維持することができる。
【００１０】
この際、装着者の背面側に作用する浮力によって発生する、背面を水平とする曲げモーメントを、装着者の前面側に作用する浮力によって発生する、前面を水平とする曲げモーメントで低減することができることから、装着者をほぼ垂直な姿勢に維持することができる。
【００１１】
この結果、装着者をほぼ垂直な姿勢に維持して常に頭部を水面上に浮上させることができ、容易に息継ぎを継続できる。
【考案の効果】
【００１２】
本考案によれば、設定された重さ以下の荷物を収容した状態で、装着者をほぼ垂直な姿勢に維持して常に頭部を水面上に浮上させることができる。
【図面の簡単な説明】
【００１３】
【図１】本考案のリュックサックの一実施形態を示す斜視図である。
【図２】図１のリュックサックの縦断面図である。
【図３】図１のリュックサックを背負った状態を示す斜視図である。
【考案を実施するための形態】
【００１４】
以下、本考案の実施の形態を図面に基づいて説明する。
【００１５】
図１乃至図３には、本考案のリュックサック１の一実施形態が示されている。
【００１６】
このリュックサックは、収納部２と、収納部２に一体に縫製された左右一対の肩ベルト３と、収納部２に着脱自在に設けられた腰ベルト４とから構成されている。
【００１７】
収納部２は、略方形状の底面部２１と、底面部２１の前後各端縁に各下端縁がそれぞれ縫製された略方形状の背面部２２及び後面部２３と、底面部２１の左右各端縁に左右各端縁がそれぞれ縫製されるとともに、背面部２２及び後面部２３の左右各端縁及び上端縁に前後各端縁がそれぞれ縫製された略細長方形状の周面部２４とから略直方体形状に形成され、周面部２４の長手方向に沿って設けられたスライドファスナー２５をスライド操作することにより、周面部２４に開口を形成し、開口を通して荷物を収納し、収納した荷物を取り出すことができ、その後、開口を閉鎖することができる。また、後面部２３には、スライドファスナー２５１を介して開閉自在なポケット２６が設けられている。
【００１８】
一方、収納部２を構成する底面部２１、背面部２２、後面部２３、周面部２４の左右各下端部及びポケット２６には、発泡プラスチックプレート、例えば、発泡ＥＶＡプレートからなる浮力材５がそれぞれ配設されている。この浮力材５は、配設する各部位の大きさに合わせて体積（縦横寸法及び厚さ）が設定されており、内部に設定された重さの荷物を収納したリュックサック１（収納部２）を水中に没したとしても、リュックサック１を水面上に浮上させるのに十分な浮力を有している。
【００１９】
一対の肩ベルト３は、それぞれ上下各端部が収納部２を構成する背面部２２の左右各半部の上端縁と下端縁にそれぞれ一体に縫製されており、その内部には、発泡ＥＶＡプレートからなる浮力材５がそれぞれ配設されている。また、左右の肩ベルト３には、差込６１及び受け具６２を有するバックルベルト６が縫製されており、左右の肩ベルト３が肩から離脱しないように差込６１及び受け具６２を連結することができる。
【００２０】
腰ベルト４は、収納部２を構成する背面部２２の左右各下部に設けたガイド（図示せず）に沿って着脱自在に挿通されており、その内部には、発泡ＥＶＡプレートからなる複数個の浮力材５が配設されている。具体的には、腰ベルト４の浮力材５は、背面部２２に対応して、及び、左右の脇腹から前面にわたる部位に対応してそれぞれ配設されている。さらに、腰ベルト４にも、差込６１及び受け具６２を有するバックルベルト６が縫製されており、腰ベルト４をウエストに巻き回した際に、腹部から離脱しないように差込６１及び受け具６２を連結することができる。
【００２１】
ここで、腰ベルト４の長さは、リュックサイズ１の大きさに対応して長さが設定されており、差込６１及び受け具６２を連結した際に、左右の浮力材５が脇腹から前面にかけて位置するようになっている。
【００２２】
このように構成されたリュックサック１を使用する際は、左右の各腕をそれぞれ対応する肩ベルト３に挿通し、収納部２を背中に背負った後、各肩ベルト３の長さを調整して弛みを吸収するとともに、左右の肩ベルト３が肩から離脱しないように差込６１及び受け具６２を連結する。合わせて、腰ベルト４をウエストに巻き回し、差込６１及び受け具６２を連結する。
【００２３】
これにより、収納部２の背面部２２は装着者の背面に常に密着し、浮力材５の浮力によっても背面から離れることを防止できる。
【００２４】
このような状態において、万が一洪水等に遭遇して流されたとしても、背負ったリュックサック１の浮力により、装着者を常に浮上させる。すなわち、装着者の背面側において、リュックサック１の収納部２に収納された荷物の重さと浮力材５による浮力との合力（絶対値の差分の浮力）が作用するとともに、前面側において、肩ベルト３に配設された浮力材５及び腰ベルト４に配設されて前面側に位置している浮力材５による浮力が作用することから、装着者の浮力と合わせて、装着者の一部を常に水面上に浮上させた状態に維持することができる。
【００２５】
この際、リュックサック１の収納部２に設けた浮力材５による浮力が装着者の背面を水平とする曲げモーメントを発生させるのに対し、肩ベルト３の浮力材５による浮力及び腰ベルト４の浮力材５による浮力が装着者の前面を水平とする曲げモーメントを発生させる。したがって、装着者の背面側に作用する曲げモーメントを、装着者の前面側に作用する曲げモーメントによって低減することができ、装着者をほぼ垂直な姿勢に維持して頭部を水面上に浮上させることができる。しかも、腰ベルト４をウエストに巻き回して連結することによって、収納部２の背面部２２を装着者の背面に常に密着させることから、収納部２の浮力によって背面部２２が背面から離れることによる、装着者の背中を水平とする曲げモーメントの増大を防止することができる。
【００２６】
この結果、リュックサック１の浮力によって装着者をほぼ垂直な姿勢に維持して頭部を常に水面上に浮上させることができ、容易に息継ぎを継続することができる。
【００２７】
なお、このリュックサック１は、河川や海岸等のレジャー、例えば、釣り等にも使用することができる。すなわち、万が一川や海に転落したとしても、装着者の頭部を水面上に浮上させた状態に維持して、息継ぎを確保することができる。
【符号の説明】
【００２８】
１  リュックサック
２  収納部
３  肩ベルト
４  腰ベルト
５  浮力材
【図１】
0003170277.tif 000003
【図２】
0003170277.tif 000004
【図３】
0003170277.tif 000005